(57)【要約】【課題】低い位置と高い位置との間の移動時に、磁気装置によって型枠支持材に及ぼされる非常に大きな磁力を克服しなければならない。【解決手段】磁力を発生する磁気的手段と、磁気装置を型枠支持材上に設置した時に少なくとも間接的に前記磁気的手段を型枠支持材上で支持するための少なくとも断面的に磁化可能な支持手段とからなり、前記磁気装置が前記支持手段が磁力を前記型枠支持材に伝達して前記型枠支持材上に磁気装置を固定するための第一位置と、前記磁気的手段と型枠支持材との間の前記磁力の伝達が実体的に遮断されて磁気装置が型枠支持材から取り外し可能な第二位置との間で切り換え可能であることを特徴とする磁化可能な型枠支持材上の型枠装置を固定するための切り換え可能な磁気装置を提供する。【選択図】図５
2006312231.tif 000002
【特許請求の範囲】
【請求項１】
磁力を発生する磁気的手段と、磁気装置を型枠支持材上に設置した時に少なくとも間接的に前記磁気的手段を型枠支持材上で支持するための少なくとも断面的に磁化可能な支持手段とからなり、前記磁気装置が前記支持手段が磁力を前記型枠支持材に伝達して前記型枠支持材上に磁気装置を固定するための第一位置と、前記磁気的手段と型枠支持材との間の前記磁力の伝達が実体的に遮断されて磁気装置が型枠支持材から取り外し可能な第二位置との間で切り換え可能であることを特徴とする磁化可能な型枠支持材上の型枠装置を固定するための切り換え可能な磁気装置。
【請求項２】
前記磁気的手段と前記支持手段とが少なくとも断面的に互いに対して相対的に可動であることを特徴とする請求項１記載の切り換え可能な磁気装置。
【請求項３】
前記磁気的手段と前記支持手段とが少なくとも断面的に互いに対して相対的に並進運動で可動であることを特徴とする請求項１又は２に記載の切り換え可能な磁気装置。
【請求項４】
前記支持手段が前記第一位置において、前記磁気的手段と前記型枠支持材との間に少なくとも断面的に配置されることを特徴とする請求項１ないし３のいずれか１に記載の切り換え可能な磁気装置。
【請求項５】
前記磁気装置が少なくとも一つの磁化不可能な遮蔽装置を備えることを特徴とする請求項１ないし４のいずれか１に記載の切り換え可能な磁気装置。
【請求項６】
前記支持手段が少なくとも一つの磁化不可能な遮蔽装置を備えることを特徴とする請求項１ないし５のいずれか１に記載の切り換え可能な磁気装置。
【請求項７】
前記磁気的手段と前記遮蔽装置とが少なくとも断面的に互いに対して相対的に可動であることを特徴とする請求項１ないし６のいずれか１に記載の切り換え可能な磁気装置。
【請求項８】
前記遮蔽装置が前記第二位置において少なくとも断面的に前記磁気的手段と前記型枠支持材との間に、及び／又は磁気的手段と支持手段との間に配置されることを特徴とする請求項１ないし７のいずれか１に記載の切り換え可能な磁気装置。
【請求項９】
前記磁気的手段が少なくとも一つの接触面を備え、前記支持手段が少なくとも一つの接触面を備え、磁気的手段の接触面と支持手段の接触面とが、前記第一位置において少なくとも断面的に隣接することを特徴とする請求項１ないし８のいずれか１に記載の切り換え可能な磁気装置。
【請求項１０】
前記支持手段が、少なくとも一つの磁化可能部と少なくとも一つの磁化不可能部とを備えることを特徴とする請求項１ないし９のいずれか１に記載の切り換え可能な磁気装置。
【請求項１１】
前記磁気装置がハウジングと前記ハウジングに対して可動なユニットとを備え、前記ハウジングが前記支持手段を有し、前記可動ユニットが前記磁気的手段を有することを特徴とする請求項１ないし１０のいずれか１に記載の切り換え可能な磁気装置。
【請求項１２】
前記支持手段が少なくとも二つの接触側面を備え、前記磁気装置が型枠支持材上に置かれた時に、少なくとも一つの前記接触側面が型枠支持材に少なくとも間接的に隣接することを特徴とする請求項１ないし１１のいずれか１に記載の切り換え可能な磁気装置。
【請求項１３】
前記支持手段の接触側面が互いに９０度の角度となるように設けられたことを特徴とする請求項１ないし１２のいずれか１に記載の切り換え可能な磁気装置。
【請求項１４】
前記磁気装置が磁化不可能なカバーを備えることを特徴とする請求項１ないし１３のいずれか１に記載の切り換え可能な磁気装置。
【請求項１５】
前記磁気装置が、前記型枠装置を接続するための接続装置を備えることを特徴とする請求項１ないし１４のいずれか１に記載の切り換え可能な磁気装置。
【請求項１６】
前記磁気装置が少なくとも一つの型枠面を備えることを特徴とする請求項１ないし１５のいずれか１に記載の切り換え可能な磁気装置。
【請求項１７】
前記磁気装置が型枠装置として形成されることを特徴とする請求項１ないし１６のいずれか１に記載の切り換え可能な磁気装置。
【請求項１８】
前記磁気装置が接触側面と反対側の側面から切り換え可能であることを特徴とする請求項１ないし１７のいずれか１に記載の切り換え可能な磁気装置。
【発明の詳細な説明】
【技術分野】
【０００１】
本発明は、磁化可能な型枠支持材上の型枠装置を固定するための磁気装置に関する。
【背景技術】
【０００２】
型枠装置を磁化可能な型枠支持材上に固定する磁気装置は先行技術から知られており、それらは磁気装置が型枠支持材に隣接する低い位置と、磁気装置が型枠支持材と間隔を開けた高い位置との間を移動することができる。
【発明の開示】
【発明が解決しようとする課題】
【０００３】
前記磁気装置は、低い位置と高い位置との間の移動時に、磁気装置によって型枠支持材に及ぼされる非常に大きな磁力を克服しなければならないという欠点がある。先行技術においては、前記磁力をなるべくスムーズに克服するための例えば偏心したレバーのような対応する手段が設けられているが、しかし例えば磁気装置が型枠支持材から取り外された時には、磁気装置を下に置いた時に大きな力がすべての上に発生し、結果として磁気装置は猪突的に型枠支持材に引き寄せられる。特に磁気装置を型枠支持材に置く時の猪突的、或いは衝動的な動作は、すでに位置合わせされた型枠装置を位置ずれさせ新たな位置合わせが必要となり、それは望ましいことではなく時間を費やすことになる。
【課題を解決するための手段】
【０００４】
この問題を取り除くために、本発明は、磁力を発生する磁気的手段と、磁気装置を型枠支持材上に設置した時に少なくとも間接的に前記磁気的手段を型枠支持材上で支持するための少なくとも断面的に磁化可能な支持手段とからなり、前記磁気装置が前記支持手段が磁力を前記型枠支持材に伝達して前記型枠支持材上に磁気装置を固定するための第一位置と、前記磁気的手段と型枠支持材との間の前記磁力の伝達が実体的に遮断されて磁気装置が型枠支持材から取り外し可能な第二位置との間で切り換え可能であることを特徴とする磁化可能な型枠支持材上の型枠装置を固定するための磁気装置を提供する。前記磁気的手段は、前記支持手段を少なくとも断面的に磁気化し、前記磁気力は前記支持手段を通り型枠支持材へ伝達されるので、磁気的手段自体は型枠支持材と接触しない。もし磁力線が磁化可能な材料、例えば鋼鉄を通り磁極間を閉じた線でガイドされれば、磁気化できる断面、例えば型枠支持材を磁力線が透過して非常に大きな磁力が作用する。もし磁極間の閉じた線が遮断されれば、この磁力は、突然に減少する。この目的のために、例えば、磁化されない材料を前記磁気的手段と型枠支持材との間に設けることができるし、又は磁気的手段と支持手段が相対的に移動して互いに間隔を空けることもできる。これによって、型枠支持材に作用する磁力は相当に減少し、磁気装置を問題なく取り外すことができる。
【発明の効果】
【０００５】
前記磁気装置を前記第一と第二の位置間で移動させるために、もし前記磁気的手段と支持手段とが少なくとも断面的に互いに可動であれば有利であることが判明している。
【０００６】
前記磁気装置の前記第一と第二の位置間での移動は、もし前記磁気的手段と支持手段とが並進運動において少なくとも断面的に互いに可動であれば、非常に容易であることが明らかとなった。これによって、前記磁気装置は例えば単純な直線上の手での移動によって、第一と第二位置間を移動可能である。
【０００７】
もし前記支持手段が第一位置において前記磁気的手段と型枠支持材間に少なくとも断面的に設けられれば、磁気的手段と前記支持手段によってカバーされた型枠支持材間の距離は最小となり、磁気的手段によって発生し型枠支持材に働く磁力は最大となる。
【０００８】
磁力の型枠支持材への伝達を遮断する非常に容易で効果的な方法としては、前記磁気装置が少なくとも一つの磁化不可能な遮蔽装置を備えることであることが判っている。
【０００９】
前記支持手段は、前記磁気装置の第一位置において磁力を型枠支持材へ伝達する機能と、第二位置において前記磁気的手段と型枠支持材間の磁力の伝達を遮断する機能を有する。前記２つの機能は、もし支持手段が少なくとも一つの磁化不可能な遮蔽装置を備え、第一位置において、支持手段の磁化可能な断面を磁気的手段と型枠支持材間に設け、一方第二位置において、磁化不可能な断面を磁気的手段と型枠支持材間に設けることで、非常に容易に達成できる。
【００１０】
前記磁気的手段と型枠との間の磁力の伝達の遮断も、もし磁気的手段と遮蔽装置とが少なくとも断面的に相対的に互いに可動であれば、非常に容易に達成できる。
【００１１】
磁気的手段と型枠支持材間の磁力の伝達を遮断する非常に容易で効果的な方法としては、もし遮蔽装置が第二位置において少なくとも断面的に磁気的手段と型枠支持材間、及び／又は磁気的手段と支持手段間に設けられるのであれば、役に立つことが判っている。磁気的手段と支持手段との間と、磁気的手段と型枠支持材との間のそれぞれにおいて、磁力の型枠支持材への伝達は、磁化不可能断面を設けることによって非常に容易に遮断することができる。
【００１２】
磁気的手段と型枠支持材間の磁力の伝達は、もし磁気的断面と磁化可能な断面とが直接接触すれば、磁気装置の第一位置において非常に良好である。従って、もし磁気的手段が少なくとも一つの接触面を有しており、かつもし支持手段が少なくとも一つの接触面を有しており、それら接触面が少なくとも断面的に第一位置において隣接していれば、磁気装置の第一位置における磁気的手段から支持手段への磁力の伝達を相当に向上することができる。
【００１３】
もし支持手段が少なくとも一つの磁化可能な断面と、少なくとも一つの磁化不可能な断面とを備えていれば、前記磁化可能又は磁化不可能な断面は、磁気装置の好ましい位置に依存して、任意に磁力を磁気的手段と型枠支持材間に伝達、又は伝達の遮断ができるように、磁気的手段と型枠支持材間に設けることができる。
【００１４】
本発明の好ましき実施例において、前記磁気装置はハウジングと、前記ハウジングに対して稼働なユニットとからなり、前記ハウジングは支持手段を備え、前記可動ユニットは磁気的手段を備える。前記ハウジングは前記支持手段が前記型枠支持材に隣接するように前記型枠支持材上に置くことができ、一方可動ユニットである磁気的手段は、磁気装置を移動するために、型枠支持材から間隔を空け、第一と第二位置間で支持手段に対して可動である。
【００１５】
好ましい実施例において、前記支持手段は少なくとも二つの接触側面を備え、前記接触側面の少なくとも一つは、磁気装置が型枠支持材に置かれた時に、少なくとも間接的に型枠支持材と隣接する。前記磁気装置は、例えば、もし接触側面が異なるサイズの接触面を有するならば、異なる保持力で型枠支持材に作用する。
【００１６】
もし、支持手段の接触側面が実質的に互いに直角に設けられるならば、第二接触側面は、例えば磁化可能な型枠装置と適切に接触し、型枠装置を型枠支持材に固定する。
【００１７】
前記磁気的手段の磁力によって周囲の受ける影響は、もし磁気装置が磁化不可能なカバーを備えるならば、減じることができる。
【００１８】
型枠装置の型枠支持材への固定は、もし磁気装置が型枠装置を固定するための接続装置を備えるならば、非常に容易であることが判っている。この接続装置は、有利であるように複数の型枠装置に対して互換性のあるアダプターとして設計される。第二接触側面を有する前記支持手段は、例えば磁化可能な型枠装置を接続するためと、それを磁力で型枠支持材に接触させて保持するための接続装置としても設計される。
【００１９】
もし磁気装置が型枠装置として設計され、及び／又は少なくとも一つの型枠面を備えるならば、型枠装置に要求される部品数は減らすことができる。
【００２０】
もし磁気装置が接触側面と対向する側面と切り換え可能であれば、磁気装置の操作は相当に容易になり、接触側面に隣接する磁気装置の側面は、型枠表面として設計できる。
【発明を実施するための最良の形態】
【００２１】
以下に、本発明の好ましい実施例を図面を参照して記載する。以下の記載において、「上」、「下」、「左」、「右」等の位置を示す表現が使われるが、これらは本発明の記載をより良く理解することを助ける。これらの位置の指定は、それぞれ図面を参照に理解されるものであり、これを超えて束縛する特性は有さない。
【００２２】
本発明の限定の範囲内において、「磁化可能部」の意味は、少なくとも一つの磁化可能な材料を有し、好ましくは鋼鉄からなる部分を指す。「磁化不可能部」又は「遮蔽部」の意味は、実体的に一つ以上の磁化不可能材料、例えばアルミニウムを備えた部分を指す。
【００２３】
図１から８は、本発明の第一実施例に関し、図９から１７は第二実施例に関する。図１８から２８を参照して好ましい応用例が記載され、そこでは型枠装置９が本発明に係る磁気装置１によって型枠支持材２に固定される。まず本発明に係る磁気装置１の実施例における共通の特徴につき、詳細な差異を記載する前に記載する。
【００２４】
本発明は、少なくとも一つの磁場を発生する磁気的手段１０と、磁気装置１を型枠支持材２上に設置した時に少なくとも間接的に前記磁気的手段１０を型枠支持材２上で支持するための少なくとも一つの少なくとも断面的に磁化可能な支持手段２０とからなる、磁化可能な型枠支持材２上の型枠装置９を固定するための磁気装置１に関する。  前記磁気装置１は、図５と１３に示す第一位置と、図８と１７に示す第二位置との間で切り換え可能である。
【００２５】
前記第一位置において、磁気的手段１０が発生する磁力は支持手段２０から型枠支持材２へと伝達し、磁気装置１と型枠装置９とを型枠支持材２上に固定する。
【００２６】
前記第二位置において、磁気的手段１０と型枠支持材２の間の磁力の伝達は実質的に遮断され、磁気装置１は型枠支持材２から取り外すことができる。磁気装置１を第一と第二位置間で移動させるために、磁気的手段１０と支持手段２０とは図７、８、１６と１７の矢印方向に沿って又は対向して互いに相対的に並進運動で移動可能である。
【００２７】
前記磁気装置１の第二位置において、磁気的手段１０と型枠支持材２の間の磁力の伝達を遮蔽するために、磁化不可能な遮蔽装置１３、２３は磁気的手段１０と型枠支持材２との間と、磁気的手段１０と支持手段２０との間に設けられる。前記遮蔽装置１３、２３として、磁化不可能部１３、２３はそれぞれ本発明に係る磁気装置１に設けられる。前記遮蔽部１３は、第一遮蔽装置１３として磁気的手段１０と関連し、遮蔽部２３は第二遮蔽装置２３として支持手段２０に関連している。図８と１７に示される磁気装置１の第二位置において、磁気的手段１０の遮蔽部１３は、磁性部１１と支持手段２０の磁化可能部２２との間に設けられ、支持手段の遮蔽部２３は、磁気的手段１０の磁化可能部１２と型枠支持材２との間に設けられる。前記磁性部１１から型枠支持材２への磁力の伝達は、よって遮蔽され、型枠支持材２に作用する磁力は非常に小さくなり、磁気装置１を問題なく型枠支持材２から取り外すことができる。
【００２８】
前記磁気装置１は、磁気的手段１０と支持手段２０とに加えて、磁気的手段１０と支持手段２０とを互いに対して動かすためと磁気装置１を第一位置から第二位置へ移動させるための調整機構３０を、例えば特別な鋼鉄からなり磁気装置１を支持手段２０の接触側面４（５）を除いて完全に覆う磁化不可能なハウジングカバー６と同様に備える。
【００２９】
前記支持手段２０の特徴を以下に記載する。前記支持手段２０は、図５、７、８と１３、１６、１７にそれぞれ示されるように、長形のピン状の接続部材２４に貫通され共に保持される、連続的に交互に列となって設けられた複数の磁化可能な部分２２と、同様の形状を有する複数の中間遮蔽部２３とからなる。
【００３０】
前記磁化可能部２２は、実質的に鋼鉄からなり、磁化不可能部２３は、実質的にアルミニウムからなる。前記磁化可能部２２と磁化不可能部２３は、互いに対向して水平に置かれ、露出面が実質的に同一面上に属し、一直線上に配置される。前記磁化可能部２２と磁化不可能部２３とは、結合ピン２４に互いに対向する面と直角に貫通されて、支持手段２０が磁化可能部２２と磁化不可能部２３の個々の形状を集めた全体形状から構成される。
【００３１】
以下に磁気的手段１０の特徴を記載する。両実施例において磁気的手段１０は、複数の磁性部１１と、複数の長方形磁化可能断面１２と、複数の長方形磁化不可能遮蔽部１３とからなり、各部１１、１２、１３はピン状の結合部材１４によって貫通され、共に保持されている。前記磁気的手段１０は、各部１１、１２、１３の複数の個々の形状からなり、実質的に直方体ブロックの形状を有する。前記磁性部１１は、実質的に中心に貫通穴の開いた円筒状の永久磁石１１である。二つの円筒状の永久磁石１１は対応する磁化不可能遮蔽部１３の開口に嵌合し、磁性部１１の円筒面領域の全体の境界は各遮蔽部１３によって囲まれる。前記遮蔽部１３の外縁は実質的に磁化可能部１２と同じ高さと幅で、磁性部１１と同じ厚さの立方体状である。前記円筒状永久磁石磁性部１１の軸端側面の表面は、それぞれ遮蔽部１３の対応する面で同一面上になるように囲まれている。二つの磁性部１１と一つの遮蔽部１３からなる磁石ユニットは、二つの磁化可能部１２間に設けられ、各磁石ユニットと磁化可能部１２の同じサイズの正面表面が隣接している。前記磁化可能部１２も同様に貫通孔が設けられ、磁性部１１の貫通孔と数、位置、大きさが合うように調整されており、結合部材１４によって貫かれている。前記磁気的手段１０の磁性部１１の表面は、隣接する磁化可能部１２と接触して同様に磁化する。前記磁性部１１は、それぞれ単向性を有するように設けられ、それらの磁気軸は、互いに平行に配される。従って、個々の磁性部１１の磁気的効果は、増大する。この方法で、複数の磁化可能部１２と磁性ユニットが交互に連続的に並ぶ。二つの磁化可能部１２が、この整列した連鎖の最外側の連鎖を形成する。
【００３２】
図５、７、８、１３、１６、１７それぞれにおける二つの最外側の磁化可能部１２の右側において、楕円収容開口３２を備えた収容部３１が例えば溶接によって設けられている。収容部３１は、ハウジング６の外に向かって突出する旋回軸３４に設けられた偏心軸３３を収容するように設けられている。前記旋回軸３４は、実施例に依存して別な方法で設けてもよい。図１から２０に関連する実施例において、旋回軸３４は軸受け側又は磁気装置1の表面４と平行に設けられ、一方図２１から２８に関連する実施例において、軸受け側又は磁気装置1の表面４と垂直に設けられる。
【００３３】
図１から８に示す本発明に係る第一の実施例において、支持手段２０は実質的に平坦な直方体形状であって、型枠支持材２と接触する接触側面４を備え、支持手段２０は直方体の磁化可能部２２と直方体の磁化不可能部２３とからなる。これは、図２，４，６に特に図示されている。
【００３４】
本発明に係る第二の実施例において、支持手段は実質的にＬ字断面を有し、それは特に図１２、１５に示されている。アルミニウム製の磁化不可能部２３と同様に鋼鉄製の磁化可能部２２も、従ってＬ字状構造を有し、ピン状の接続部材２４によって支持手段２０の連結して長いＬ字形状を形成している。従って磁気装置１又は支持手段２０は、型枠支持材２と接触する第一接触側面４と、例えば磁化可能な型枠装置を設置可能な接触側面５とを有する。第二接触側面５は、任意の磁化可能な物体を磁気装置１に接続するためのアダプタとして形成され、例えば型枠装置を磁気装置１に接続するための接続装置を形成する。型枠面を磁気装置１のハウジング上に設けることで、磁気装置１を型枠装置自身として設計することも可能である。
【００３５】
図１８から２０は、第一型枠装置９に設けられた本発明に係る磁気装置１の上記第一実施例の平面図、正面図、側面図である。前記型枠装置９は、図１９に示すように脚部９ａ、９ｂが内側でハウジングカバー６の脚の外側面接する、Ｈ字状断面を有する部材を備え、旋回軸３４が型枠装置９の左脚９ｂの対応する開口部を通り突出し、外側から操作可能であることを特徴とする。磁気装置１が型枠支持材２上に置かれた状態で、脚部９ａ、９ｂは実質的に型枠支持材２の表面と垂直に延在する。
【００３６】
脚部９ａの外側面は型枠表面を形成する。図２１から２４は、型枠装置９に設けられた第一実施例に係る磁気装置１の変形例の平面図、正面図、側面図と、断面図である。上記場合と同様に、図１９に示すように、型枠装置９は脚部９ａ、９ｂが内側でハウジングカバー６の脚の外側面接する、Ｈ字状断面を有する部材を備える。しかし、磁気装置１は第一実施例の場合から調整装置３０が変形され、収容室３１と、レセプタクル３２と、偏心軸３３と、旋回軸３４と、９０度オフセットした軸受け部３５とからなる。図２４に調整装置３０の部分断面図を示す。旋回軸３４は、ハウジングカバー６又は型枠装置９の脚部９ａ、９ｂと接続したウェブ９ｃの開口部から突出し、接触側面４と反対側の磁気装置１の側面から第一と第二位置間を切り換え可能である。一方で磁気装置１が操作容易であることは長所であり、他方で型枠装置９の二つの脚部９ａ、９ｂの外表面は型枠表面として設けることができる。
【００３７】
図２５から２８は、第二の型枠装置９に設けられた第一の実施例の磁気装置１の変形例の平面、正面、側面、断面図である。図２１から２４と関連して先に記載した場合とは対照的に、型枠装置９は変形されている。どのように型枠装置9の脚部９ａを台形の断面を有する膨らみ９ｄとともに設けたかを図２６、２８に図示する。脚部９ａの内側面の低い部分のみが磁気装置１のハウジングカバー６の外側面と接触している。膨らみ９ａの外表面も、型枠表面と同様に設計され、型枠装置９は二つの異なる型枠表面を有する。
【００３８】
以下に、図面を参照して本発明の好ましい使用例を記載する。
【００３９】
磁気装置１と型枠装置９を型枠支持材２上に固定するために、磁気装置１はまず型枠支持材２上に置かれ、第二位置から第一位置へ移動される。
【００４０】
互いに数やサイズが調整された磁気的手段１０の磁化可能部１２と支持手段２０の磁化可能部２２は、これによって直接並行して配置され、磁気的手段１０の磁化可能部１２の接触面と支持手段２０の磁化可能部２２の接触面とが互いに平らに載っている。磁化不可能部２３と同様に支持手段２０の磁化可能部２２は、少なくとも間接的に型枠支持材２上に支持されると、 磁性部１１によって発成した磁力は、磁気装置１の第一の位置において磁気的手段１０の磁化可能部１２を通り支持手段２０の磁化可能部２２へ、そしてそこから型枠支持材２へと伝達する。磁性部１１の各磁極間で、磁力線は磁化可能部１１、１２を通り、型枠支持材２を通って実質的に閉ループを形成する。
【００４１】
磁気装置１を第一と第二位置の間で移動させるために、磁気的手段１０と支持手段２０が調整機構３０を操作することによって互いに対して移動する。旋回軸３４を旋回することで、偏心軸３３が動き、収容部３１の容器３２内で移動して、磁気的手段１０が支持手段２０に対して相対的に並進運動で移動する。
【００４２】
図３、１１、１８において、旋回軸３４はハウジングカバー６上の像面と垂直に突出し、ハウジングカバー６の外側から手動で又は特別な道具で操作可能である。これによって旋回軸３４は、図５、１３、１８の像面と垂直な軸に対して時計回りに旋回する。図１３、１６、１７と同様に図５、７、８の一連の像は、第一位置から第二位置への支持手段２０に対する磁気的手段１０の一連の動きを図示している。
【００４３】
図２１から２８に示す応用例において、前記調整機構３０又は旋回軸３４は、磁気装置１の接触側面４と対向する側面から操作される。図２２、２４、２６、２８において、旋回軸３４は型枠支持材２の表面と垂直に延在し、ハウジングカバー６と型枠装置９の脚部９ａと９ｂとを接続するウェブ９ｃとを超えて突出し、手動又は特別な装置で型枠装置９の外側から操作可能である。第一と第二位置間の磁気装置１の調整は、図５、７、８、１３、１６、１７に示す原理に従って実行される。
【００４４】
磁気装置１を第一位置から第二位置へ移動させる時に、磁気的手段１０は、支持手段２０に対し位置が動く。上述のように、磁気的手段１０の遮蔽部１３は、磁性部１１と支持手段２０の磁化可能部２２との間に配置され、支持手段２０の磁化不可能部２３は、磁気的手段１０の磁化可能部１２と型枠支持材２との間に配置されて、磁性部１１から型枠支持材２への磁力の伝達は遮蔽される。図８と１７に示すように、磁化不可能部１３、２３が磁気的手段１０の第一から第二位置への移動方向に対して磁化可能部１２、２２より大きな幅を有するため、磁気的手段１０の磁化可能部１２と支持手段２０の磁化可能部２２との接触面は、重なり合わない。
【００４５】
厳密に言えば、最良の遮蔽をしても磁性部１１の最小の磁力が型枠支持材２に働くために、たとえ磁気的手段１０から型枠支持材２への磁力の伝達が第一位置から第二位置への磁気装置１の移動時に完全に遮蔽されていなくても、型枠支持材２に作用する磁力が実質的に減少して磁気装置１が型枠支持材２から容易に取り外すことができる程度に、磁性部１１から型枠支持材２への磁力の伝達が制限される。
【００４６】
図１から２８に示された本発明に係る実施例は、もちろん以下の保護された請求項に記載された発明の範囲において実施可能な複数の実施例のうちからのただ少し選出したものである。
【図面の簡単な説明】
【００４７】
【図１】本発明の第一実施例に係る磁気装置の平面図である。
【図２】前記第一実施例の磁気装置の正面図である。
【図３】前記第一実施例の磁気装置の側面図である。
【図４】前記第一実施例の磁気装置の図３のＩＶ−ＩＶ線に沿った断面図である。
【図５】前記磁気装置の第一位置における前記第一実施例の磁気装置の図４のＶ−Ｖ線に沿った断面図である。
【図６】前記第一実施例の磁気装置の図５のＶＩ−ＶＩ線に沿った断面図である。
【図７】磁気手段を第一位置に設けた時の、前記第一実施例の磁気装置の図５と比較した断面図である。
【図８】磁気手段を第二位置に設けた時の、前記第一実施例の磁気装置の図５と比較した断面図である。
【図９】本発明の第二実施例に係る磁気装置の平面図である。
【図１０】前記第二実施例の磁気装置の正面図である。
【図１１】前記第二実施例の磁気装置の側面図である。
【図１２】前記第二実施例の磁気装置の図１１のＸＩＩ−ＸＩＩ線に沿った断面図である。
【図１３】前記磁気装置の第一位置における、前記第二実施例の磁気装置の図１２のＸＩＩＩ−ＸＩＩＩ線に沿った断面図である。
【図１４】前記第二実施例の磁気装置の図１２のＸＩＶ−ＸＩＶ線に沿った断面図である。
【図１５】前記第二実施例の磁気装置の図１３のＸＶ−ＸＶ線に沿った断面図である。
【図１６】前記磁気手段の第一位置における、前記第二実施例の磁気装置の図１３と比較した断面図である。
【図１７】前記磁気装置の第二位置における、前記第二実施例の磁気装置の図１３と比較した断面図である。
【図１８】第一型枠装置に設けられた第一実施例に係る磁気装置の平面図である。
【図１９】前記第一型枠装置に設けられた第一実施例に係る磁気装置の正面図である。
【図２０】前記第一型枠装置に設けられた第一実施例に係る磁気装置の側面図である。
【図２１】前記第一型枠装置に設けられた第一実施例に係る磁気装置を改造した装置の平面図である。
【図２２】前記第一型枠装置に設けられた第一実施例に係る磁気装置を改造した装置の正面図である。
【図２３】前記第一型枠装置に設けられた第一実施例に係る磁気装置を改造した装置の側面図である。
【図２４】前記第一型枠装置に設けられた第一実施例に係る磁気装置を改造した装置の図２１のＸＸＩＶ−ＸＸＩＶ線に沿った断面図である。
【図２５】第二型枠装置に設けられた第一実施例に係る磁気装置を改造した装置の平面図である。
【図２６】前記第二型枠装置に設けられた第一実施例に係る磁気装置を改造した装置の正面図である。
【図２７】前記第二型枠装置に設けられた第一実施例に係る磁気装置を改造した装置の側面図である。
【図２８】前記第二型枠装置に設けられた第一実施例に係る磁気装置を改造した装置の図２５のＸＸＶＩＩＩ−ＸＸＶＩＩＩ線に沿った断面図である。
【符号の説明】
【００４８】
１          磁気装置
２          型枠支持材
４、５      接触側面
６          カバー
９          型枠装置
９ａ、９ｂ  脚部
９ｃ        ウェブ
１０        磁気的手段
１１        磁性部
１２        磁化可能部
１３        遮蔽部
１４        結合部材
２０        支持手段
２２        磁化可能部
２３        磁化不可能部
２４        接続部材
３０        調整機構
３１        収容部
３２        収容開口
３３        偏心軸
３４        旋回軸
３５        軸受け部
【図１】
2006312231.tif 000003
【図２】
2006312231.tif 000004
【図３】
2006312231.tif 000005
【図４】
2006312231.tif 000006
【図５】
2006312231.tif 000007
【図６】
2006312231.tif 000008
【図７】
2006312231.tif 000009
【図８】
2006312231.tif 000010
【図９】
2006312231.tif 000011
【図１０】
2006312231.tif 000012
【図１１】
2006312231.tif 000013
【図１２】
2006312231.tif 000014
【図１３】
2006312231.tif 000015
【図１４】
2006312231.tif 000016
【図１５】
2006312231.tif 000017
【図１６】
2006312231.tif 000018
【図１７】
2006312231.tif 000019
【図１８】
2006312231.tif 000020
【図１９】
2006312231.tif 000021
【図２０】
2006312231.tif 000022
【図２１】
2006312231.tif 000023
【図２２】
2006312231.tif 000024
【図２３】
2006312231.tif 000025
【図２４】
2006312231.tif 000026
【図２５】
2006312231.tif 000027
【図２６】
2006312231.tif 000028
【図２７】
2006312231.tif 000029
【図２８】
2006312231.tif 000030